(57)【特許請求の範囲】
【請求項１】
基板ケースと、
当該基板ケースを固定するためのケース固定部とが設けられており、
当該ケース固定部が、被係合部を有し、
前記基板ケースが、内部に基板を収容して開閉可能なケース本体と、連結片と、前記ケース本体に設けられ、前記連結片との係合により連結構造を形成し、前記ケース本体を封止状態にすることが可能な複数の受け部と、を有し、
前記受け部は、前記連結構造の形成に伴って前記被係合部と係合可能な状態になる係合部を有し、前記受け部に前記連結片を挿入して前記連結構造を形成することにより、前記係合部が前記受け部の外側に向けて突出し、前記被係合部と係合可能な状態になり、
前記複数の受け部のうちの一部において前記連結構造を形成することにより、前記ケース本体を封止するとともに、前記連結構造の形成に伴って係合可能となった前記係合部を前記被係合部に係合させることにより、前記基板ケースを前記ケース固定部に固定可能となり、
前記基板ケースに設けられた前記複数の受け部のうち、前記連結片との係合により前記連結構造が形成された前記受け部を前記ケース本体から切断することにより、前記ケース本体が開封可能になると共に、切断された前記受け部によって外殻が形成され前記ケース本体から独立した、前記連結片の機能を有する連結体が形成され、
当該連結体を前記ケース本体に残存する前記受け部に係合させることにより、新たな連結構造が形成され、前記ケース本体が再度封止状態になると共に、前記係合部が前記被係合部と係合可能になることを特徴とする遊技機。
【請求項２】
前記ケース本体が、一対のケース構成体を組み合わせて構成され、
前記受け部が、一方のケース構成体に設けられた第１受け構成部と、他方のケース構成体に設けられた第２受け構成部とを組み合わせて構成され、
前記連結片あるいは前記連結体を介して前記第１受け構成部と前記第２受け構成部とを連結させることにより前記連結構造が形成されることを特徴とする請求項１に記載の遊技機。
【請求項３】
前記連結片あるいは前記連結体を嵌め込むことで前記連結構造を形成可能であり、内部空間の大きさの異なる前記受け部が複数設けられており、
前記連結体が、前記ケース本体の開封の繰り返しに伴って順次大きくなり、
前記ケース本体を封止する際に、前記ケース本体に残存している前記受け部のうち、前記連結片あるいは前記連結体を嵌め込んで前記連結構造を形成可能な大きさのものを選択することにより前記ケース本体を封止可能であることを特徴とする請求項１または２に記載の遊技機。
【発明の詳細な説明】
【技術分野】
【０００１】
本発明は、基板を収容した基板ケースの固定構造に特徴を有する遊技機に関する。
【背景技術】
【０００２】
従来より、スロットマシンやパチンコ機に代表される遊技機が備えている基板ケースの多くは、下記特許文献１に開示されているように、基板上に実装されているＣＰＵやＲＯＭなどに不正な改造等が施されるのを防止すべく、基板を収容し、封止した状態で筐体内の所定の位置に取り付けられている。
【特許文献１】特開２００６−１３０１８５号公報
【発明の開示】
【発明が解決しようとする課題】
【０００３】
従来技術において、基板ケースは、上記特許文献１に開示されているように、遊技機の筐体にネジ止めして固定されていた。そのため、従来技術で採用している構成では、基板ケースの固定に際して別途ネジ等の部品を準備せねばならず、その分だけ部品点数の増加製造コストが高くなるという問題があった。また、従来技術のようにネジ等を用いて基板ケースを固定する場合は、取り付け位置において片手で基板ケースを押さえ、もう一方の手でネジ止めせねばならず、作業性が悪かった。
【０００４】
そこで、本発明は、基板ケースの固定に要する部品点数や基板ケースの製造コストを抑制でき、基板ケースの着脱作業の作業性に優れた遊技機の提供を目的とした。
【課題を解決するための手段】
【０００５】
上記した課題を解決すべく提供される本発明の遊技機は、基板ケースと、当該基板ケースを固定するためのケース固定部とが設けられており、当該ケース固定部が、被係合部を有し、前記基板ケースが、内部に基板を収容して開閉可能なケース本体と、連結片と
、前記ケース本体に設けられ、前記連結片との係合により連結構造を形成し、前記ケース本体を封止状態にすることができる複数の受け部と、を有し、前記受け部は、前記連結構造の形成に伴って前記被係合部と係合可能な状態になる係合部を有するものであり、前記複数の受け部のうちの一部において前記連結構造を形成することにより、前記ケース本体を封止するとともに、前記連結構造の形成に伴って係合可能となった前記係合部を前記被係合部に係合させることにより、前記基板ケースを前記ケース固定部に固定可能なものである。
【０００６】
また、上述した本発明の遊技機は、前記受け部に前記連結片を挿入して前記連結構造を形成することにより、前記係合部が前記受け部の外側に向けて突出し、前記被係合部と係合可能な状態になる。
【０００７】
また、上述した本発明の遊技機は、前記基板ケースに複数設けられた前記複数の受け部のうち、前記連結片との係合により前記連結構造が形成された前記受け部を前記ケース本体から切断することにより、前記ケース本体が開封可能になると共に、切断された前記受け部によって外殻が形成され前記ケース本体から独立した、前記連結片の機能を有する連結体が形成され、当該連結体を前記ケース本体に残存する前記受け部に係合させることにより、新たな連結構造が形成され、前記ケース本体が再度封止状態になると共に、前記係合部が前記被係合部と係合可能になる。
【０００８】
上述した本発明の遊技機において、ケース本体を、一対のケース構成体を組み合わせて構成されるものとし、受け部を、一方のケース構成体に設けられた第１受け構成部と、他方のケース構成体に設けられた第２受け構成部とを組み合わせて構成されるものとし、連結片あるいは連結体を介して第１受け構成部と第２受け構成部とを連結させることにより連結構造を形成可能なものとしてもよい。
【０００９】
本発明の遊技機は、連結片あるいは連結体を嵌め込むことで連結構造を形成可能であり、内部空間の大きさの異なる受け部が複数設けられており、連結体が、ケース本体の開封の繰り返しに伴って順次大きくなり、ケース本体を封止する際に、ケース本体に残存している受け部のうち、連結片あるいは連結体を嵌め込んで連結構造を形成可能な大きさのものを選択することによりケース本体を封止可能な構成とすることが望ましい。
【発明の効果】
【００１０】
本発明の遊技機は、基板ケースと、当該基板ケースの固定用に設けられたケース固定部とを有する。また、当該ケース固定部が被係合部を有し、前記基板ケースが、内部に基板を収容可能なケース本体と連結片とを有する構成とされている。さらに、基板ケースのケース本体が受け部を複数有し、受け部が前記連結片との連結により連結構造を形成可能であり、前記連結構造の形成に伴って前記被係合部と係合可能な状態になる係合部を有するものとされている。本発明の遊技機では、前記した複数設けられた受け部のうち、一部について連結片と連結させて連結構造を形成することでケース本体を封止可能でき、前記連結構造の形成に伴って係合可能となった係合部を前記被係合部に係合させることにより、前記基板ケースを前記ケース固定部に固定することができる。言い換えれば、本発明の遊技機では、ケース本体の封止のために連結構造を形成することによって係合可能となった係合部を、基板ケースをケース固定部に固定するために有効利用することができる。そのため、本発明の遊技機では、上記した従来技術とは異なり、別途ネジ等の部品等を用意しなくても基板ケースをケース固定部に固定することができる。従って、本発明の遊技機は、部品点数が少なく、その分製造コストも低い。
【００１１】
また、本発明の遊技機では、ケース本体側に複数設けられた受け部の一部が備える係合部を、ケース固定部側に設けられた被係合部に係合させることによりケース本体をケース固定部に固定できる。従って、本発明の遊技機では、上述した従来技術のもののようにネジ止め等する場合よりも、ケース本体の固定作業の作業性に優れている。
また、本発明の遊技機では、受け部と連結片とを連結させ、ケース本体を封止状態とすることによって係合部がケース固定部に設けられた被係合部と係合可能となる。言い換えれば、本発明の遊技機は、いずれの受け部も連結片と連結構造を形成していない場合、すなわちケース本体が開封状態にある場合には、係合部がケース固定部に設けられた被係合部と係合可能な状態とはなっていない。そのため、本発明の遊技機では、連結片を受け部に連結させ、ケース本体を封止しなければケース本体をケース固定部に固定することができない。従って、上述の構成によれば、ケース本体が開封状態でケース固定部に設置されてしまうのを確実に防止することができる。
【００１２】
本発明の遊技機は、受け部に係合部を設け、前記受け部に連結片を挿入して連結構造を形成することによって前記係合部が受け部の外側に向けて突出し、被係合部と係合可能な状態になる構成とすることにより、別途ネジ等の部品等を用意しなくても基板ケースをケース固定部に固定することができる。従って、本発明によれば、部品点数が少なく、製造コストも安価な遊技機を提供することができる。
【００１３】
本発明の遊技機において採用されている基板ケースでは、受け部に連結片を係合させて連結構造を形成した後に、連結構造が形成された部分をケース本体から切断すれば、ケース本体を開き、内部に収容されている基板のメンテナンス等を行うことができる。ここで、上述したように、連結構造が形成された部分を切断して連結体を新たに形成可能であり、この連結体をケース本体に残存している受け部に係合させることで新たに連結構造を形成し、ケース本体を開閉不可能な状態とすることが可能なものを基板ケースとして採用できる。このような構成とすれば、ケース本体を開くために切断して形成された連結体やこれに含まれている連結片をそのまま次にケース本体を封止するために有効利用できる。また、基板ケースを前記したような構成とした場合は、初期段階において連結片を用いてケース本体を封止する必要があるものの、その後の封止に際しては連結片に対して受け部に相当する部分が連結されて別途形成された連結体を利用でき、連結片を別途準備する必要がない。そのため、本発明の基板ケースでは、連結片を多数準備しておく必要がなく、その分だけ部品点数を最小限に抑制することができる。
【００１４】
さらに、本発明の遊技機において、上述のように、開封に伴って形成された連結体やこれに含まれている連結片をそのまま次の封止作業に使用可能な基板ケースを採用すれば、基板ケースを開封しても不要な切断片（連結体）や部材が発生しない。そのため、上述のような構成とすれば、ユーザーがメンテナンス等のために基板ケースを開封した際に、切断片や部材の要否を判断したり、部材の分解や回収を行う必要がなく、メンテナンス等の作業効率を飛躍的に向上させることができる。
【００１５】
上述した基板ケースでは、上記した連結体を用いて連結構造が形成された部分を切断することにより、新たな連結体を作成することができる。また、この連結体をケース本体に残存している受け部に対して係合させて連結構造を形成することでケース本体を封止でき、この連結構造を含む部分を切断すると、さらに別の連結体が作成される。このように、本発明の基板ケースでは、連結体を受け部に係合させて形成された連結構造を含む部分を切断してケース本体を開封し、その後、切断により形成された新たな連結体を用いてケース本体を再び封止することができる。よって、本発明の基板ケースでは、ケース本体を開封する際に切断により形成された連結体を順次ケース本体を封止するために有効利用できる。
【００１６】
また、本発明で採用されている基板ケースは、ケース本体を構成する一対のケース構成体のうち一方に設けられた第１受け構成部と、他方に設けられた第２受け構成部とを連結片や、連結片を含んだ連結体を介して連結させることによりケース本体を封止可能なものとすることが可能である。このような構成とすることにより、初期段階において基板ケースのケース本体を封止するために使用された連結片や、これを含んで構成される連結体をケース本体を封止するために有効利用でき、ケース本体の開封作業や封止作業の簡略化や、部品点数の削減に資することができる。
【００１７】
本発明では、基板ケースとして、ケース本体に内部空間の大きさが異なる受け部を複数設けられたものを採用することが可能である。この場合において、上述のように、開封作業の繰り返しに伴って連結体の大きさが順次大きくなっていく構成とすれば、複数設けられた受け部から連結片や連結体の大きさに見合った受け部を選択するだけで、当該受け部と連結片や連結体とを連結させ、ケース本体を封止することができる。従って、本発明によれば、ケース本体を封止する際に、ユーザーが連結片や連結体を嵌め込むべき受け部の選択に迷うのを防止でき、ケース本体の封止作業の作業効率を向上させることができる。また、本発明によれば、ケース本体の封止作業の際に連結片や連結体を嵌め込むべき受け部が、連結片や連結体の大きさに基づいて自ずと指定されることとなり、ユーザーが誤った受け部に連結片や連結体を嵌め込むのを防止することができる。
【発明を実施するための最良の形態】
【００１８】
続いて、本発明の一実施形態にかかる遊技機１並びに、基板ケースＣについて、図面を参照しながら詳細に説明する。
図１は、遊技機１を示す正面図である。図２は、遊技機１の内部構造を示す正面図である。図３（ａ）は、遊技機１において採用されている制御装置１０を示す斜視図であり、同３（ｂ）は、制御装置１０において基板ケースＣを封止するのに用いられている連結体８５や連結体８５〜８７の外観を示す斜視図である。また、図４は、図３に示す制御装置１０の分解斜視図である。図５は、ケースＣを構成する本体１５の受け構成部２０近傍の構造を示す図であり、（ａ）は斜視図、（ｂ）は（ａ）のＡ方向矢視図、（ｃ）は（ｂ）のＢ−Ｂ断面図、（ｄ）は（ｂ）のＣ−Ｃ断面図、（ｅ）は（ｄ）に図示する爪が受け構成部の外側に突出した状態を示す断面図である。図６は、ケースＣを構成するカバー１６の受け構成部５０近傍の構造を示す図であり、（ａ）は斜視図、（ｂ）は（ａ）のＡ方向矢視図、（ｃ）は（ｂ）のＢ−Ｂ断面図である。図７（ａ）は、連結片７５を示す斜視図、（ｂ）は（ａ）のＡ−Ａ断面図、（ｃ）は（ａ）のＢ−Ｂ断面図である。図８（ａ）は、ケース本体の断面図であり、図８（ｂ）は（ａ）のＡ部拡大図である。図９は、制御装置１０および台座Ｓの構成を示す正面図である。図１０は、制御装置１０をケース固定台座Ｓに固定した状態を示す断面図である。
【００１９】
図１に示すように、遊技機１は、いわゆるスロットマシンである。図２に示すように、遊技機１は、筐体２ａと、これに対して開閉自在に取り付けられた前面扉２ｂとを有する。筐体２ａの内部には、本実施形態の遊技機１の特徴的構成である基板ケースＣを備えた制御装置１０や、回胴３、メダル払出装置４に加え、各種センサ類やスイッチ類等、様々な機器類が収容されている。
【００２０】
一方、図１に示すように、前面扉２ｂの表面側（外側）、すなわち使用状態において遊技者側に向く面には、メダル投入口５ａやメダル払出口５ｂに加え、遊技機１の操作用のボタン類が設けられている。具体的には、回胴３を停止させるためのストップボタン６ａやメダル返却ボタン６ｂをはじめとする様々なボタン類や、回胴３の回転始動用のスタートレバー６ｃ等が設けられている。さらに、前面扉２ｂの表面側には、演出用ランプ７ａや画像表示部７ｂ、回胴３を視認可能とするための表示窓７ｃ、放音部７ｄといったような遊技機１の動作状態を表したり装飾を施すためのものや、受け皿８ａ、灰皿８ｂといったような付随的な構成物等が設けられている。
【００２１】
上記した制御装置１０は、遊技機１の動作を司るものである。図３や図４に示すように、制御装置１０は、ケース本体１１と連結片７５とを備えた基板ケースＣを有する。制御装置１０は、ケースＣの内部に従来公知のＣＰＵやＲＯＭをはじめとする電子部品類を実装した基板１２や裏板１３が収容されたものである。制御装置１０は、ケース本体１１を連結片７５等を用いて封止し、内部に収容されている基板１２やこれに実装されている電子部品類を外部から触れることができない状態とした上で、図２に示すように筐体２ａの上方側に取り付けられた台座Ｓに固定されている。
【００２２】
制御装置１０において採用されている基板ケースＣを構成するケース本体１１についてさらに詳細に説明すると、図３や図４に示すように、ケース本体１１は、正面視がほぼ矩形で扁平な形状とされている。ケース本体１１は、いわゆるインロー式の箱によって主要部が構成されている。具体的には、ケース本体１１は、本体１５（ケース構成体）とカバー１６（ケース構成体）とが対をなして形成されるものであり、両者を組み合わせて構成されている。図８や図９に示すように、本体１５およびカバー１６は、その長手方向一端側に設けられたヒンジ部１４において連結されている。そのため、ケース本体１１は、ヒンジ部１４を支点として本体１５およびカバー１６を近接離反させ、開閉することができる。
【００２３】
図４に示すように、本体１５は、開口領域の形状がほぼ矩形でトレー状の部材であり、収容部１７を中心として構成されている。収容部１７は、基板１２や裏板１３を収容可能な程度の大きさとされている。本体１５は、収容部１７の長手方向一端側の側面１７ａに対して隣接する位置に複数（本実施形態では４つ）の受け構成部２０を有する。また、収容部１７の長手方向他端側の側面１７ｂにヒンジ部１４を構成するヒンジ構成体１４ａを有する。さらに、本体１５は、側面１７ａ，１７ｂに対してほぼ垂直な側面１７ｃ，１７ｄに、係合部１９，１９を有する。係合部１９，１９は、正面視がほぼ「コ」字型に屈曲した形状とされており、収容部１７の開口端よりも上方、すなわち収容部１７の底面から離れる方向に突出している。
【００２４】
図４や図５に示すように、受け構成部２０は、開口形状が矩形で枡状の部分であり、接続部１８を介して収容部１７に接続されている。受け構成部２０は、４面の内周面２１〜２４と底面２５とで囲まれた空間を有する。内周面２１〜２４のうち、収容部１７の側面１７ａと平行な内周面２１，２４に対してほぼ垂直な内周面２２，２３には、溝２６，２７が設けられている。図５（ａ），（ｂ）に示すように、溝２６，２７は、それぞれ内周面２２，２３のほぼ中央において、受け構成部２０の高さ方向、すなわち開口端側から底面２５側に向かう方向に伸びている。図５（ｃ）に示すように、溝２６，２７において受け構成部２０の開口端側に近い位置に不連続部分があり、この不連続部分によって段部３０，３１が形成されている。また、受け構成部２０は、収容部１７の側面１７ａに対して平行な外周面３２，３３と、これらに対してほぼ垂直な外周面３５、３６を有する。
【００２５】
図５（ｂ）に示すように、外周面３２，３３には、受け構成部２０の外側に向けて突出した爪３７，３８が設けられている。爪３７は、上述の側面１７ａに対向している外周面３２に設けられたものであり、弾性を有し、常時は外周面３２から外側に向けて突出している。そして、爪３７に対して受け構成部２０の外側から内側に向かう方向に押圧力を付与すると受け構成部２０内に向けて没入した状態になる。この状態において爪３７に作用している押圧力を解除すると、爪３７は、受け構成部２０の外側に向けて突出した状態に戻る。
【００２６】
一方、爪３８は、上述の外周面３３側に設けられている。爪３８は、爪３７と同様に弾性を有している。爪３８は、常時は図５（ｄ）に示すように外周面３３を境として外側には突出しておらず、内周面２４よりも受け構成部２０の内側に向けて突出している。一方、爪３８は、受け構成部２０の内側から外側に向けて押圧されると、図５（ｅ）のように外周面３３を境として受け構成部２０の外側に向けて突出した状態になる。
【００２７】
爪３８の構造についてさらに詳しく説明すると、爪３８は、当接部３８ａと、突出部３８ｂとを有している。爪３８は、受け構成部２０の底面側（図示状態において下端側）にある固定端３８ｃを支点として受け構成部２０に対して片持ち状に支持されている。また、爪３８は、固定端３８ｃとは反対側の部分が自由端３８ｄとされている。また、当接部３８ａに対して受け構成部２０の内側から外側に向かう方向に押圧力が作用すると、爪３８は、この押圧力の影響を受けて固定端３８ｃを支点として外側に向けて撓み、やがて図５（ｅ）のように突出部３８ｂが受け構成部２０の外側に向けて突出した状態になる。
【００２８】
図３や図４、図９に示すように、受け構成部２０は、収容部１７の側面１７ａに沿って４つ並べて設けられており、それぞれ大きさが相違している。受け構成部２０のうち、最も小さなもの（以下、受け構成部２０ａとも称す）の開口領域の大きさは、後に詳述する連結片７５の断面積の大きさとほぼ合致する。また、受け構成部２０ａよりも一回り大きな受け構成部２０（以下、受け構成部２０ｂとも称す）の内部空間の大きさ、すなわち開口領域の大きさや深さは、受け構成部２０ａの大きさとほぼ同一とされている。
【００２９】
同様に、受け構成部２０ｂに対して隣接する位置に設けられた受け構成部２０（以下、受け構成部２０ｃとも称す）は、受け構成部２０ｂよりも一回り大きく、残りの受け構成部２０（以下、受け構成部２０ｄとも称す）は、受け構成部２０ｃよりも一回り大きい。そして、受け構成部２０ｃの内部空間の大きさは、受け構成部２０ｂや後に詳述するカバー１６側の受け構成部５０ｂの大きさとほぼ同等とされており、受け構成部２０ｄの内部空間の大きさは、受け構成部２０ｃや受け構成部５０ｃの大きさとほぼ同等とされている。
【００３０】
一方、図３や図４に示すように、カバー１６は、基板１２や裏板１３が取り付けられた本体１５に対して被さるように取り付けられるトレー状の部材であり、覆蓋部４０を中心として構成されている。また、カバー１６は、上記した本体１５と同様に、覆蓋部４０の長手方向一端側の側面４０ａに対して隣接する位置に複数（本実施形態では４つ）の受け構成部５０を有する。また、覆蓋部４０の長手方向他端側の側面４０ｂにはヒンジ構成体１４ｂが設けられている。ヒンジ構成体１４ｂは、本体１５側に設けられたヒンジ構成体１４ａと組み合わさってヒンジ部１４を構成するものである。
【００３１】
図４や図９に示すように、カバー１６は、側面４０ａ，４０ｂに対してほぼ垂直な側面４０ｃ，４０ｄを有し、これらに係合爪４１，４１や係合爪４３，４３が設けられている。係合爪４１，４１は、本体１５に設けられた係合部１９，１９と係合するものである。係合爪４３，４３は、基板ケースＣを後に詳述する台座Ｓ（図９参照）に固定する際に台座Ｓに設けられた側方係合部材９１と係合するものである。
【００３２】
覆蓋部４０は、上記した側面４０ａ〜４０ｄによって周囲が囲まれた部分である。また、図８に示すように、覆蓋部４０は、本体１５およびカバー１６を重ね合わせた状態において、上記した収容部１７に被さり、収容部１７と組み合わさって内側に基板収容空間４２を形成する部分である。図４や図８に示すように、覆蓋部４０は、その長手方向一端側に１つのコネクタ取出口４５を有し、他端側に３つのコネクタ取出口４６〜４８を有する。コネクタ取出口４５〜４８は、それぞれ基板１２に複数設けられているコネクタ１２ａをケース本体１１の外側に露出させるためのものである。
【００３３】
受け構成部５０は、上記した本体１５側に設けられた受け構成部２０と大部分が同様の構成とされている。具体的には、図６（ａ），（ｂ）に示すように、受け構成部５０は、開口形状が矩形で枡状の形状とされており、接続部５１を介して覆蓋部４０の側面４０ａに接続されている。受け構成部５０は、側面４０ａに対して平行な内周面５２，５３と、これに対してほぼ垂直な内周面５４，５５、並びに、天面５６で囲まれた空間を有する。内周面５２，５３のほぼ中央には、受け構成部５０の高さ方向に向けて伸びる溝６０，６１が設けられている。
【００３４】
図６（ｃ）に示すように、溝６０，６１は、上記した受け構成部２０側の溝２６，２７と同様に受け構成部５０の開口端に近い位置に不連続部分があり、この不連続部分によって段部６２，６３が形成されている。また、受け構成部５０は、側面４０ａに対して平行な外周面６５，６６と、これに対してほぼ垂直な外周面６７，６８とを有する。外周面６６には外側に向けて突出した爪６９が設けられており、外周面６７，６８には外側に向けて突出した爪７０，７１が設けられている。爪６９，７０，７１は、上記した受け構成部２０に設けられていた爪３７と同様に弾性を有し、常時は外側に向けて突出した状態になっている。すなわち、爪６９，７０，７１は、外周面６６，６７，６８から離反する方向に突出した状態になっている。一方、爪６９，７０，７１は、外周面６６，６７，６８に対してほぼ垂直であり、受け構成部５０の内側に向かう方向に押圧力を付与すると外周面６７，６８側に向けて撓み、受け構成部５０の内側に向けて退入した状態になる。すなわち、爪６９，７０，７１は、押圧力の付与したり解除したりすることにより外周面６６，６７，６８から出没可能とされている。
【００３５】
受け構成部５０は、上記した本体１５に設けられた各受け構成部２０に対応して設けられており、その大きさがそれぞれ異なる。具体的には、受け構成部５０は、覆蓋部４０の側面４０ａに沿って４つ並べて設けられている。各受け構成部５０は、本体１５およびカバー１６を重ね合わせた際に、開口端が本体１５側に設けられた各受け構成部２０の開口端と付き合わせた状態となるように位置合わせして設けられている。また、各受け構成部５０の開口領域の大きさは、本体１５およびカバー１６を重ね合わせた際に突き合わせ状態になる各受け構成部２０のものとほぼ同一とされている。さらに具体的に説明すると、４つ設けられている受け構成部５０のうち最も小さなもの（以下、受け構成部５０ａとも称す）は、受け構成部２０ａに対応して設けられたものである。受け構成部５０ａの開口領域の大きさは、後に詳述する連結片７５の断面積の大きさとほぼ合致する。
【００３６】
受け構成部５０ａに対して隣接する位置に設けられた受け構成部５０（以下、受け構成部５０ｂとも称す）は、受け構成部５０ａよりも一回り大きい。受け構成部５０ｂの内部空間の大きさ、すなわち受け構成部５０ｂの深さや開口領域の大きさは、受け構成部５０ａや受け構成部２０ａの大きさとほぼ同一とされている。同様に、受け構成部５０ｂに対して隣接する位置に設けられた受け構成部５０（以下、受け構成部５０ｃとも称す）は、受け構成部５０ｂよりも一回り大きく、内部空間の大きさが受け構成部５０ｂや受け構成部２０ｂの外形の大きさとほぼ同等とされている。残りの受け構成部５０（以下、受け構成部５０ｄとも称す）は、受け構成部５０ｃよりもさらに一回り大きく、その内部空間の大きさは、受け構成部５０ｃや受け構成部２０ｃの大きさとほぼ同等とされている。
【００３７】
上記したケース本体１１を閉じた状態、すなわち本体１５およびカバー１６の開口端同士が突き合わさった状態になると、図８に示すように本体１５側の収容部１７と、カバー１６側の覆蓋部４０とが組み合わさって基板収容空間４２が形成される。また、図３や図９に示すように、基板収容空間４２内に収容されている基板１２に固定されているコネクタ１２ａが、それぞれ覆蓋部４０側に設けられた各コネクタ取出口４５〜４８から外部に露出した状態になる。一方、図３や図８に示すように、ケース本体１１を閉じた状態とすると、本体１５側の各受け構成部２０ａ〜２０ｄの開口端と、カバー１６側の各受け構成部５０ａ〜５０ｄの開口端とが突き合わさった状態になり、内部にほぼ直方体状の空間を有する受け部８０が形成される。
【００３８】
続いて、上記した基板ケースＣを構成するケース本体１１の封止方法および開封方法について説明する。ケース本体１１を構成する本体１５およびカバー１６のそれぞれに、受け構成部２０ａ〜２０ｄおよび受け構成部５０ａ〜５０ｄが全て残っている状態（以下、第１開封状態とも言う）では、図７に示す連結片７５を用い、これと受け構成部２０ａ，５０ａとを係合させることでケース本体１１を封止することができる。
【００３９】
ここで、連結片７５についてさらに詳細に説明すると、図７に示すように、連結片７５は、４面の外周面７５ａ〜７５ｄを有し、断面形状が略矩形で棒状の部材である。連結片７５は、その一端側（図示状態で上端側）であって外周面７５ａおよびこれとは反対側にある外周面７５ｃのほぼ中央の位置にそれぞれ爪７６，７７が設けられている。また、連結片７５において爪７６，７７が設けられているのとは逆側の端部（図示状態では下端側）であって、外周面７５ｂおよびこれとは反対側にある外周面７５ｄ、並びに、外周面７５ｃのほぼ中央の位置には爪７８，７９，７４が設けられている。また、連結片７５の断面積は、受け構成部２０ａ，５０ａの開口面積とほぼ同一である。そのため、第１開封状態において、爪７６，７７の設けられた側の端部を先頭にして連結片７５をカバー１６の受け構成部５０ａ内に差し込むと、爪７６，７７が溝６０，６１に設けられた段部６２，６３を乗り越え、爪７６，７７と段部６２，６３とが係合した状態になる。これにより、連結片７５が受け構成部５０ａに嵌り込み、抜けない状態になる。
【００４０】
一方、連結片７５の爪７８，７９，７４が設けられた側の端部は、爪７４が設けられた外周面７５ｃが受け構成部２０ａの内周面２４側を向く姿勢として本体１５側に設けられた受け構成部２０ａ内に差し込まれる。この際、爪７８，７９は、それぞれ受け構成部２０ａ内に形成された溝２６，２７内に沿って摺動し、爪７４は、受け構成部２０ａの内周面２４に沿って摺動する。爪７８，７９が段部３０，３１が設けられた位置に差し掛かると、爪７８，７９に押圧力が作用し、爪７８，７９が撓み、連結片７５の外周面７５ｂ，７５ｄ側にへこんだ状態になる。この状態からさらに連結片７８，７９が受け構成部２０ａ内に押し込まれると、やがて爪７８，７９が段部３０，３１を乗り越える。
【００４１】
爪７８，７９が段部３０，３１を越えるまで連結片７５が押し込まれると、爪７８，７９に作用していた押圧力が解除され、爪７８，７９が弾性力によって連結片７５の外側に向けて突出した状態に戻る。これにより、爪７８，７９が段部３０，３１に係合した状態になり、当該部位に連結構造が形成される。この結果、連結片７５が受け構成部２０ａに嵌り込んで抜けない状態になる。このようにして連結片７５が受け構成部２０ａ，５０ａの組み合わせによって構成される受け部８０ａと係合した状態になると、受け構成部２０ａ，５０ａの間に介在している連結片７５によって本体１５およびカバー１６が互いに離反不可能な状態になり、ケース本体１１が封止された状態（以下、第１封止状態とも言う）になる。
【００４２】
また、上述のようにして連結片７５を受け構成部２０ａ内に差し込むと、やがて連結片７５に設けられた爪７４が、受け構成部２０ａの外周面３３に設けられた爪３８の当接部３８ａに当たる。その後、さらに連結片７５を受け構成部２０ａの底面２５側に向けて押し込まれると、当接部３８ａの傾斜に沿って爪７４が底面２５側に摺動する。これにより、爪７４から当接部３８ａに対して押圧力が作用する。爪３８は、この押圧力の影響を受け、固定端３８ｃを支点として受け構成部２０ａの外側に向けて撓む。これにより、爪３８の突出部３８ｂが受け構成部２０ａの外周面３３から外側に向けて突出した状態になる。
【００４３】
上記したようにしてケース本体１１が第１封止状態とされると、制御装置１０は、筐体２ａの上方側に設けられた台座Ｓに固定される。ここで、図９に示すように、台座Ｓは、正面視が略矩形で、ケース本体１１よりもやや大きい程度の台座である。台座Ｓの長手方向一端側には、正面視が略「コ」字型の受け部係合部材９０が設けられている。受け部係合部材９０は、ケース本体１１に設けられた受け部８０ａ〜８０ｄに対応して４つ（以下、それぞれを受け部係合部材９０ａ〜９０ｄとも称す）設けられている。また、台座Ｓには、２つの側方係合部材９１が設けられている。受け部係合部材９０ａ〜９０ｄは、それぞれ制御装置１０を台座Ｓに設置した場合にケース本体１１の受け部８０ａ〜８０ｄが到来する位置に設けられている。側方係合部材９１，９１は、ケース本体１１を構成するカバー１６の側面４０ｃ，４０ｄに設けられた係合爪４３，４３が到来する位置に設けられている。
【００４４】
受け部係合部材９０ａ〜９０ｄは、それぞれ台座Ｓに対してほぼ垂直に立ち上がっている。受け部係合部材９０ａ〜９０ｄは、受け部８０ａ〜８０ｄにあわせてそれぞれ大きさが相違しており、受け部８０ａ〜８０ｄの位置関係に対応して一列に並べて設けられている。また、各受け部係合部材９０ａ〜９０ｄには、係合凹部９３（被係合部）が設けられている。
【００４５】
一方、図９や図１０に示すように、台座Ｓの長手方向他端側には、嵌込口９２が設けられている。嵌込口９２は、ケース本体１１の幅（短手方向の長さ）と同程度の開口幅を有しており、ケース本体１１のヒンジ１４が設けられた側の端部を差し込み可能とされている。
【００４６】
図１０に示すように、制御装置１０は、基板ケースＣを構成するケース本体１１の本体１５側の面が台座Ｓ側を向く姿勢とし、各受け部係合部材９０ａ〜９０ｄに受け部８０ａ〜８０ｄが沿う姿勢とした上で、嵌込口９２にケース本体１１のヒンジ１４側の端部を嵌め込むことで台座Ｓに設置される。これにより、ケース本体１１のヒンジ１４側の端部が嵌込口９２にほぼ隙間なく嵌め込まれ、ケース本体１１が支持された状態になる。その一方で、上述のように、第１封止状態においては、受け部８０ａ〜８０ｄのうち、連結構造を形成している受け部８０ａにおいては、外周面３３から外側に向けて爪３８の突出部３８ｂが突出している。そのため、基板ケースＣの固定に際して各受け部８０ａ〜８０ｄを台座Ｓに設けられた各受け部係合部材９０ａ〜９０ｄに沿って押し込むと、受け部８０ａから突出した爪３８の突出部３８ｂが受け部係合部材９０ａに設けられた係合凹部９３に係合する。また、受け部８０ａを除く受け部８０ｂ〜８０ｄについては、受け部８０ａとは異なり、爪３８が突出していない。そのため、基板ケースＣの固定に際して、受け部８０ｂ〜８０ｄについては、受け部係合部材９０ｂ〜９０ｄによってガイドされ、所定の位置に至る。さらに、ケース本体１１の側面４０ｃ，４０ｄにある係合爪４３，４３は、それぞれ台座Ｓの側方係合部材９１，９１と係合する。これにより、制御装置１０の基板ケースＣは、台座Ｓに対して位置決めされ、固定された状態になる。
【００４７】
上記したようにして台座Ｓに固定された後、制御装置１０のメンテナンス等を行う場合は、基板ケースＣを台座Ｓから取り外して実施される。第１封止状態にある基板ケースＣを取り外す際は、内部に連結構造が形成されている受け部８０ａに相当する部分がケース本体１１から切断される。これにより、受け部８０ａに相当する位置における基板ケースＣと台座Ｓとの係合が解除される。詳細には上述するように基板ケースＣと台座Ｓとの連結状態は、嵌込口９２にケース本体１１のヒンジ１４側の端部を嵌め込まれていることと、受け部８０ｂ〜８０ｄを受け部係合部材９０ｂ〜９０ｄにガイドされていることだけで構成されている。すなわち、単に位置決めされているだけの状態になる。従って、受け部８０ａを１つ切断するだけで基板ケースＣを台座Ｓから取り外すことができる。また、受け部８０ａを切断すると、他の受け部８０ａ〜８０ｄは単に受け構成部２０ｂ〜２０ｄと受け構成部５０ｂ〜５０ｄとが突き合わされた状態にあるに過ぎないためケース本体１１が開封可能となる。従って、受け部８０ａを１つ切断するだけでケース本体１１を開封することができることとなる。以上を換言すれば、連結構造が形成されている１つの受け部８０ａ〜８０ｄを切断するだけ基板ケースＣと台座Ｓとの取り外しも基板ケースＣ自体の開封も同時に行うことが可能となる。さらに、開封のために受け部８０ａに相当する部分を切断すると、図３（ｂ）に示すような連結体８５が形成される。さらに詳細に説明すると、受け部８０ａを構成する受け構成部２０ａ，５０ａは、それぞれ接続部１８，５１を介して本体１５およびカバー１６の主要部をなす収容部１７や覆蓋部４０と繋がっている。そのため、受け構成部２０ａ，５０ａを繋いでいる接続部１８，５１を切断することにより、受け部８０ａに相当する部分がケース本体１１から独立した状態になる。これにより、連結体８５が形成される。
【００４８】
ここで、第１封止状態では、受け部８０ａにおいて連結構造が形成されており、これによりケース本体１１が封止されている。しかし、残りの受け部８０（以下、受け部８０ｂ〜８０ｄとも称す）では連結構造が形成されておらず、単に受け構成部２０ｂ〜２０ｄと受け構成部５０ｂ〜５０ｄとが突き合わされた状態にあるに過ぎない。そのため、受け部８０ａを切断すると、ケース本体１１を開封可能な状態（以下、第２開封状態とも言う）になる。
【００４９】
上記したようにして形成された連結体８５は、連結片７５を一回り大きくしたような形状とされており、第２開封状態にあるケース本体１１を封止するための部材として活用することができる。具体的には、連結体８５は、連結片７５を芯として、この周囲に受け構成部２０ａ，５０ａに相当するものが係合した状態になっている。そのため、連結体８５は、受け構成部２０ａ，５０ａの分だけ連結片７５よりも外形が大きく、受け部８０ｂの内部にほぼぴったりと納まる大きさとなっている。また、連結体８５は、受け構成部２０ａに相当する部分に爪３７，３８を有し、受け構成部５０ａに相当する部分に爪６９，７０，７１を有する。爪３７，３８や、爪６９，７０，７１の位置関係は、それぞれ連結体８５の内部に包含されている連結片７５の爪７４，７６〜７９の位置関係と同様とされている。そのため、連結片７５を受け部８０ａに嵌め込み、係合させることができたのと同様に、連結体８５は、第２開封状態においてケース本体１１側に残っている受け部８０ｂ内に嵌め込んで係合させることができる。
【００５０】
そこで、第２開封状態においてケース本体１１を封止する場合は、第１開封状態とする際に形成された連結体８５をケース本体１１側に残っているうちで最も小さい受け部８０ｂ内に嵌め込む。この際、連結体８５の外殻を構成している受け構成部２０ａ側の部分が受け部８０ｂを構成する受け構成部５０ｂ内に嵌め込まれ、連結体８５の外殻を構成している受け構成部５０ａ側の部分が受け構成部２０ｂ内に嵌め込まれる。連結体８５の一端側（受け構成部２０ａ側）にある爪３７，３８が受け構成部５０ｂ内に形成されている段部６２，６３を乗り越え、連結体８５の他端側（受け構成部５０ａ側）にある爪７０，７１が受け構成部２０ｂ内に形成されている段部３０，３１を乗り越えるまで連結体８５が差し込まれると、連結体８５が受け構成部２０ｂ，５０ｂと係合し、受け部８０ｂの内側に連結構造が形成される。また、ケース本体１１を再封止するために連結体８５を受け部８０ｂに嵌め込むと、連結体８５に設けられた爪６９により受け構成部２０ｂに設けられた爪３８が外側に向けて押し出され、突出した状態になる。これにより、ケース本体１１が受け部８０ｂにおいて封止された状態（以下、第２封止状態とも言う）になる。
【００５１】
ここで、上記したようにしてケース本体１１を第２封止状態とした場合は、受け部８０ｂにおいてのみ爪３８が外側に突出しており、切断されずに残存している他の受け部８０ｃ，８０ｄにおいて爪３８は突出していない。また、第２封止状態においては、受け部８０ａが切断されているため、先の第１封止状態においてケース本体１１の固定用として利用されていた受け部８０ａやこれに形成されていた爪３８についても存在していない。そのため、第２封止状態では、受け部８０ｂのみにおいて爪３８が外側に向けて突出している。そのため、上述の第１封止状態におけるのと同様にして制御装置１０の基板ケースＣを台座Ｓに固定すると、受け部８０ｂから突出した爪３８が受け部係合部材９０ｂに設けられた係合凹部９３に係合する。一方、ケース本体１１から切断されずに残っている他の受け部８０ｃ，８０ｄについては、爪３８が突出していないため、基板ケースＣの固定に際して受け部係合部材９０ｃ，９０ｄによってガイドされ、所定の位置に至る。また、ケース本体１１に設けられた係合爪４３，４３は、台座Ｓに設けられた側方係合部材９１，９１と係合する。これにより、制御装置１０の基板ケースＣは、台座Ｓに対して位置決めされ、固定された状態になる。
【００５２】
ケース本体１１は、第２封止状態としたケース本体１１を台座Ｓに固定した後も、上述したのと同様の手法により順次ケース本体１１の開封、封止や、台座Ｓに対する脱着を行うことができる。具体的には、第２封止状態にあるケース本体１１は、連結構造が形成されている受け部８０ｂを切断することで開封された状態（以下、第３開封状態とも言う）とすることができる。また、第３開封状態とする際に切断された受け部８０ｂ（以下、連結体８６とも称す）は、上記した連結体８５よりも一回り大きく、連結片７５や連結体８５と同様の位置関係で爪３７，３８や爪６９〜７１が外側に向けて突出している。そのため、連結体８６を、第３開封状態においてケース本体１１に残存している受け部８０ｃ内に嵌め込んで係合させることでケース本体１１を封止可能である。また、このようにしてケース本体１１を封止した状態（以下、第３封止状態とも言う）とすると、受け部８０ｃの爪３８が外側に突出した状態になる。そのため、第３封止状態では、受け部８０ｃの爪３８を、受け部係合部材９０ｃに設けられた係合凹部９３に係合させ、ケース部材Ｃを位置決め固定することができる。
【００５３】
また同様に、第３封止状態にあるケース本体１１は、受け部８０ｃを切断することで開封された状態（以下、第４開封状態とも言う）とすることができる。そして、第４開封状態とする際に切断された受け部８０ｃに相当する部分は、次にケース本体１１を封止する際にケース本体１１に残存している受け部８０ｄに嵌め込んで係合させるための連結体８７として活用することができる。また、連結体８７を受け部８０ｄに嵌め込んでケース本体１１を封止した状態（以下、第４封止状態とも言う）では、連結体８７の爪６９により、受け部８０ｄに設けられた爪３８が内側から外側に向けて押し出される。この爪３８は、第４封止状態にあるケース部材Ｃを台座Ｓに固定する際に受け部８０ｄに対応して設けられた受け部係合部材９０の係合凹部９３に係合する。第４開封状態とされたケース部材Ｃは、台座Ｓから取り外して受け部８０ｄに相当する部分を切断することによりケース本体１１が開封された状態（以下、第５開封状態とも言う）とすることができる。
【００５４】
上述のように、本実施形態で示した基板ケースＣは、第１〜第４封止状態のそれぞれで、受け部８０ａ〜８０ｄのうち連結構造が形成されているものにおいて爪３８が突出している。そのため、台座Ｓに基板ケースＣを固定すると、受け部８０ａ〜８０ｄのそれぞれに設けられた爪３８のうち、外側に向けて突出した爪３８を受け部係合部材９０の係合凹部９３に係合させるだけで基板ケースＣを台座Ｓにしっかりと固定できる。そのため、基板ケースＣは、従来技術のもののようにネジ止め等する場合よりも、台座Ｓに対する取り付け作業性が高い。
【００５５】
上記した基板ケースＣは、ケース本体１１の封止のために連結構造を形成することによって係合可能となった爪３８を、基板ケースＣを台座Ｓに固定するために有効利用することができ、台座Ｓへの固定のために別途ネジ等の部品等を用意しなくてもよい。そのため、上記した基板ケースＣを採用すれば、遊技機１の部品点数を最小限に抑制し、その分だけ遊技機１の製造コストを抑制することができる。
また、上述したように、遊技機１で採用されている基板ケースＣでは、受け部８０ａ〜８０ｄに対して連結片７５や連結体８５〜８７を連結させ、ケース本体１１を封止状態とすることによって爪３８が受け部８０ａ〜８０ｄの外側に突出し、台座Ｓの受け部係合部材９０ａ〜９０ｄと係合可能な状態になる。そのため、遊技機１では、ケース本体１１が封止されていない状態では、爪３８が受け部８０ａ〜８０ｄの外側に突出しておらず、台座Ｓの受け部係合部材９０ａ〜９０ｄに係合することができない。そのため、遊技機１では、ケース本体１１を封止してはじめて基板ケースＣを台座Ｓに正常に固定可能となる。従って、遊技機１では、ケース本体１１が封止されていない状態のまま設置されるのを防止できる。
【００５６】
また、上記したように、本実施形態で採用されている基板ケースＣのケース本体１１は、第１〜第４封止状態においてケース本体１１に残っている受け部８０ａ〜８０ｄのうち、内部で連結構造が形成されているものを切断するとケース本体１１が第２〜第５開封状態になり、内部に収容されている基板１２のメンテナンス等を行うことが可能になる。また、第２〜４開封状態とする際にケース本体から切断された受け部８０ａ〜８０ｃについては、特に分解等しなくてもそのまま次にケース本体１１を封止するための連結体８５〜８７として活用することができる。
【００５７】
言い換えれば、ケース本体１１に複数（本実施形態では４個）の受け部８０が設けられており、ケース本体１１に切断されずに残存しているｎ個の受け部８０のうち、内部において連結片７５や連結体８５〜８７と連結構造を形成しているものを切断することにより、切断した受け部８０の数ｍだけケース本体１１に残存している受け部８０の数が減ると共に、ケース本体１１が開封可能な状態になる。また、ケース本体１１の開封のために受け部８０を切断することにより、新たに連結体８５〜８７のいずれかを形成することができる。そして、このようにして新たに形成された連結体８５〜８７をケース本体１１に残存しているｎ個の受け部８０のうちの対応するものと係合させることにより、ケース本体１１を再び封止することができる。そのため、制御装置１０の基板ケースＣは、ケース本体１１の開封作業や封止作業を容易かつスムーズに行うことができる。なお、上記実施形態では、受け部８０を４つ設けたものを例示したが、本発明はこれに限定されるものではなく、受け部８０は複数設けられていればよい。
【００５８】
また、上記したように、基板ケースＣは、ケース本体１１の開封に伴って形成された連結体８５〜８７やこれに含まれている連結片７５をそのまま次の封止作業に用いるため、一部の部材を破棄したり、分解、回収等する必要がない。そのため、基板ケースＣは、ユーザーが制御装置１０のメンテナンス等を行う際にケース本体１１から切断して形成された連結体８５〜８７の要否を判断したり、連結体８５〜８７の分解や回収を行う必要がなく、メンテナンス等の作業効率が高い。
【００５９】
基板ケースＣは、第１封止状態とするのに使用される連結体７５に始まり、ケース本体１１の封止に使用される連結体８５〜８７の断面積や外形の大きさが順を追って大きくなる。具体的には、第１封止状態とする際には、連結片７５のみが受け部８０ａに嵌め込まれるが、第２〜第４封止状態とするのに使用される連結体８５〜８７は、受け構成部２０ａ〜２０ｃや受け構成部５０ａ〜５０ｃが連結片７５の外周に多重に係合したものである。そのため、ケース本体１１の開封、封止を繰り返すに連れ、封止に使用する連結片７５や連結体８５の断面積や外形が順を追って大きくなる。
【００６０】
その一方で、連結片７５や連結体８５〜８７が嵌め込まれる受け部８０ａ〜８０ｄの内部空間の大きさ、すなわち受け構成部２０ａ〜２０ｄや受け構成部５０ａ〜５０ｄの開口面積および内部空間の大きさも、連結片７５や連結体８５の断面積や外形の大きさと同様に順次大きくなっている。言い換えれば、受け部８０ａ〜８０ｄは、それぞれ内部空間の大きさが異なっており、内部空間の大きさが連結片７５や連結体８５〜８６を嵌め込み可能な大きさの受け部８０（８０ａ〜８０ｃに相当）と、これよりも内部空間の大きさが大きく、前記した受け部８０（受け部８０ａ〜８０ｃに相当）に該当する部分を切断して新たに形成される連結体８５〜８７を嵌め込み可能な大きさの受け部８０（受け部８０ｂ〜８０ｄに相当）とがある。そのため、基板ケースＣのケース本体１１を封止する場合、ユーザーは、複数（本実施形態では４つ）設けられた受け部８０ａ〜８０ｄから内部空間の大きさや開口面積の大きさが連結片７５や連結体８５〜８７の大きさに見合ったものを選択すればよい。従って、制御装置１０では、基板ケースＣのケース本体１１を封止する際に、ユーザーが連結片７５や連結体８５〜８７を嵌め込むべき受け部８０ａ〜８０ｄの選択に迷うのを防止でき、ケース本体１１の封止作業の作業効率を向上させることができる。
【００６１】
また、上記した構成とすれば、基板ケースＣでは、ケース本体１１を封止する際に連結片７５や連結体８５〜８７を嵌め込むべき受け部８０ａ〜８０ｄを指定することができ、ユーザーが誤った受け部８０ａ〜８０ｄに連結片７５や連結体８５〜８７を嵌め込むのを防止することができる。そのため、上記した構成によれば、ケース本体１１の強度等を考慮して第１〜第４封止状態において最適な場所でケース本体１１を封止可能なように受け部８０ａ〜８０ｄを配置することができる。
【００６２】
また、基板ケースＣは、ケース本体１１の長手方向一端側に一体的に形成されたヒンジ１４を有し、これにより本体１５およびカバー１６が連結されている。そのため、基板ケースＣは、長手方向他端側に設けられた受け部８０ａ〜８０ｄに連結片７５や連結体８５〜８７を係合させるだけで封止することができる。なお、上記実施形態では、ケース本体１１の一端側をヒンジ１４によって連結することにより封止した構成を例示したが、本発明はこれに限定されるものではない。具体的には、ケース本体１１においてヒンジ１４が設けられている部位にも受け部８０に相当するものを設け、ケース本体１１の両端において受け部８０を用いた連結構造を形成して封止する構成としてもよい。また、このような構成とした場合は、ヒンジ１４側に設けた受け部８０に相当するものについても、受け部８０ａ〜８０ｄと同様に連結構造が形成された部分において突出した爪３２が係合可能なように受け部係合部材９０や係合凹部９３を設け、ケース本体１１の両端において台座Ｓ側に係合させることとしてもよい。なお、受け部８０を設ける位置については、ケース本体１１の長手方向の端部に限定されるものではなく、幅方向（短手方向）の一端側あるいは両端側に相当する位置であってもよい。
【００６３】
上記実施形態では、連結片７５や連結体８５〜８７を受け部８０ａ〜８０ｄに嵌め込むことにより、各受け部８０ａ〜８０ｄに設けられた爪３８が外側に突出し、これを台座Ｓ側に設けられた受け部係合部材９０ａ〜９０ｄの係合凹部９３と係合可能な構成を例示したが、本発明はこれに限定されるものではない。具体的には、上記実施形態では、連結片７５や連結体８５〜８７を受け部８０ａ〜８０ｄに嵌め込むと上述したように爪３８が外側に突出する代わりに、受け部８０ａ〜８０ｄ側に凹部や溝等が形成される構成としてもよい。かかる構成とした場合は、受け部係合部材９０ａ〜９０ｄ側に係合凹部９３を設ける代わりに、受け部８０ａ〜８０ｄ側の凹部や溝等に係合可能な突起や爪等を設けることにより、上記実施形態と同様に適度な強度で基板ケースＣを台座Ｓに固定できる。
【００６４】
上記実施形態では、基板ケースＣを構成するケース本体１１の封止に際して利用される連結片７５や連結体８５〜８７に外側に向けて突出した爪７６〜７９や爪３７，３８、爪７０，７１を設け、これらを受け部８０内に形成された段部３０，３１や段部６２，６３に係合させて連結構造を形成するものであったが、本発明はこれに限定されるものではない。具体的には、爪７６〜７９や爪３７，３８、爪７０，７１の代わりに凹部や孔を設ける一方、段部３０，３１や段部６２，６３に代えて前記した凹部や孔に係合する突起や爪を設けた構成としてもよい。また、受け部８０内の段部３０，３１や段部６０，６１に代えて、爪７６〜７９や爪３７，３８、爪７０，７１が係合する孔や爪、突起等を設けた構成としてもよい。
【００６５】
また、上記実施形態では、連結片７５や連結体８５〜８７と各受け部８０との係合により形成される連結構造で一体化して基板ケースＣのケース本体１１を封止する構成を例示したが、本発明において連結構造を形成する形態はこれに限定されるものではなく、例えば嵌合や他の形態により連結構造を形成したものであってもよい。また、上記実施形態では、各受け部８０において、受け構成体２０，５０が入れ子状に配されて係合するものを例示したが、本発明はこれに限定されるものではなく、他の形態で係合等して連結構造を形成するものであってもよい。
【００６６】
上記した基板ケースＣは、ケース本体１１に大きさの異なる複数（本実施形態では４つ）の受け部８０ａ〜８０ｄを設けたものであり、受け部８０ａに連結片７５を嵌め込んで連結構造を形成したものを切断したり、受け部８０ａ〜８０ｃを切断して形成される連結体８５〜８７を用いてケース本体１１を再封止可能なものであったが、本発明はこれに限定されるものではない。具体的には、図１１に示す基板ケースＤのように、ケース本体１１に対して連結片７５を嵌め込むことが可能な同一の大きさの受け部８０ａを複数設けた構成としてもよい。かかる構成の基板ケースＤでは、ケース本体１１の封止時に残存している受け部８０ａのうちの一つに連結片７５を嵌め込んで係合させることでケース本体１１を封止することができる。また、このような構成とした場合についても、連結片７５を係合させ連結構造を形成した受け部８０ａにおいてのみ爪３８が外側に向けて突出した状態になる。そのため、基板ケースＤについても、上記した基板ケースＣを採用した場合と同様に適度な強度で基板ケースＤを台座Ｓに固定できる等の効果を得ることができる。
【００６７】
図１１に示す基板ケースＤでは、同一の大きさの受け部８０ａおよび連結片７５を用いた構成とされているが、本発明はこれに限定されるものではなく、大きさの異なる連結片７５を複数準備し、各連結片７５の大きさに合わせて、受け部８０ａの大きさを調整することも可能である。具体的には、上述の基板ケースＣと同様に大きさの異なる受け部８０ａ〜８０ｄを設けると共に、各受け部８０ａ〜８０ｄ毎に係合可能な大きさの連結片７５を設けた構成としてもよい。
【００６８】
なお、上記実施形態で示した遊技機１は、いわゆるスロットマシンであったが、本発明はこれに限定されるものではなく、例えばパチンコ機に代表されるような他の種類の遊技機であってもよい。
【図面の簡単な説明】
【００６９】
【図１】本発明の一実施形態にかかる遊技機を示す正面図である。
【図２】遊技機の内部構造を示す正面図である。
【図３】（ａ）は、制御装置を示す斜視図であり、（ｂ）は連結体の外観を示す斜視図である。
【図４】図３に示す制御装置の分解斜視図である。
【図５】ケース構成体の受け構成部近傍の構造を示す図であり、（ａ）は斜視図、（ｂ）は（ａ）のＡ方向矢視図、（ｃ）は（ｂ）のＢ−Ｂ断面図、（ｄ）は（ｂ）のＣ−Ｃ断面図、（ｅ）は（ｄ）に図示する爪が受け構成部の外側に突出した状態を示す断面図である。
【図６】ケース構成体の受け構成部近傍の構造を示す図であり、（ａ）は斜視図、（ｂ）は（ａ）のＡ方向矢視図、（ｃ）は（ｂ）のＢ−Ｂ断面図である。
【図７】（ａ）は、連結片を示す斜視図、（ｂ）は（ａ）のＡ−Ａ断面図、（ｃ）は（ａ）のＢ−Ｂ断面図である。
【図８】（ａ）は、ケース本体の断面図であり、（ｂ）は（ａ）のＡ部拡大図である。
【図９】制御装置および台座の構成を示す正面図である。
【図１０】制御装置を台座に固定した状態を示す断面図である。
【図１１】基板ケースの変形例を示す斜視図である。
【符号の説明】
【００７０】
１              遊技機
１１              ケース本体
１５              本体（ケース構成体）
１６              カバー（ケース構成体）
２０              受け構成部
３８              爪（係合部）
５０              受け構成部
７５              連結片
８０              受け部
８５，８６，８７  連結体
８６              連結体
８７              連結体
９３              係合凹部（被係合部）
Ｓ              台座（ケース固定部）
Ｃ              基板ケース
【図１】
0005317044.tif 000002
【図２】
0005317044.tif 000003
【図３】
0005317044.tif 000004
【図４】
0005317044.tif 000005
【図５】
0005317044.tif 000006
【図６】
0005317044.tif 000007
【図７】
0005317044.tif 000008
【図８】
0005317044.tif 000009
【図９】
0005317044.tif 000010
【図１０】
0005317044.tif 000011
【図１１】
0005317044.tif 000012